(57)【特許請求の範囲】
【請求項１】
照明器具を設定する方法であって、
前記照明器具は照明器具ネットワークの一部であり、
該照明器具ネットワークの各照明器具は無線通信ネットワークのノードであり、
当該方法は、
照明器具により及び照明器具において実施され、
−近隣の照明器具から前記無線通信ネットワークを介して信号を受信する段階；
−該受信した信号から、前記近隣の照明器具と前記照明器具との間の距離の指標をそれぞれ与える指標を生成する段階；
−少なくとも一部の近隣の照明器具の個々の指標に従い、該少なくとも一部の近隣の照明器具をランク付けする段階；
−前記ランク付けされた近隣の照明器具の個々のランクに従い、該ランク付けされた近隣の照明器具に照明シナリオを提供する段階；
−該照明シナリオを格納する段階、
を有する方法。
【請求項２】
前記照明シナリオは、事象の検出に応答して開始されるようにされる、
ことを特徴とする請求項１に記載の方法。
【請求項３】
−前記信号を受信する段階中に受信された各信号は、対応する近隣の照明器具の識別子を有し、
−前記指標を生成する段階は、前記信号の受信されたエネルギから処理される、
ことを特徴とする請求項１に記載の方法。
【請求項４】
照明器具ネットワークの照明を管理する方法であって、
前記照明器具ネットワークは、請求項２に記載の方法に従い設定される照明器具を有し、
当該方法は：
−前記事象を検出する段階、
−対応する検出信号を生成する段階、及び
−該検出信号に応答して照明シナリオを開始する段階、
を有する方法。
【請求項５】
照明器具無線ネットワークの照明器具であって：
−近隣の照明器具へ／からの信号を送信及び受信する無線通信機；
−該通信機に結合され、前記近隣の照明器具からそれぞれ前記照明器具無線ネットワークを介して受信した信号から、前記近隣の照明器具と前記照明器具との間のそれぞれの距離の指標を生成する処理手段；
−該生成された指標の値に従い、前記近隣の照明器具をランク付けする手段；
−前記ランク付けされた近隣の照明器具の個々のランクに従い、該ランク付けされた近隣の照明器具の照明シナリオを提供する手段；
−近隣の照明器具に与えられたランクに依存する照明シナリオを格納する記憶装置；
を有する照明器具。
【請求項６】
照明シナリオは、前記照明器具及び前記近隣の照明器具の照明電力を定める電力シナリオを有し、
前記照明器具は、
前記電力シナリオに従い、該照明器具自身の照明電力を適応する電力制御装置、
を更に有する請求項５に記載の照明器具。
【請求項７】
前記通信機は、複数の近隣の照明器具へ／から信号を送信及び受信するように適応され、
各信号は、前記信号を発行する照明器具の識別子を有する、
ことを特徴とする請求項５に記載の照明器具。
【請求項８】
前記信号は、照明器具ネットワークの識別子を更に有する、
ことを特徴とする請求項７に記載の照明器具。
【請求項９】
前記照明シナリオは、各照明器具に対して１つの照明レベルを定める、
ことを特徴とする請求項５に記載の照明器具。
【請求項１０】
前記照明シナリオは、前記照明器具及び前記近隣の照明器具の照明電力を定める電力シナリオを有し、
前記照明器具は、該電力シナリオに従い自身の照明電力を適応する電力制御装置を更に有し、
前記各近隣の照明器具に関連付けられた電力レベルは、前記電力シナリオで提供され、高いランクの近隣の照明器具ほど（つまり、前記照明器具から遠いほど）照明器具の照明電力が低いようにされる、
ことを特徴とする請求項９に記載の照明器具。
【請求項１１】
前記照明器具は、
前記事象を検出した事象検出器により発行され受信された検出信号に応答して：
−近隣の照明器具に事象が生じていることを知らせる、各近隣の照明器具への信号を生成し；
−前記近隣の照明器具へ該信号を送信する前記通信機へ各信号を送信する、
手段、
を更に有する請求項５に記載の照明器具。
【請求項１２】
前記照明シナリオは、前記照明器具及び前記近隣の照明器具の照明電力を定める電力シナリオを有し、
前記照明器具は、該電力シナリオに従い自身の照明電力を適応する電力制御装置を更に有し、
前記検出器が前記照明器具の近くの前記事象を検出するために置かれている場合、前記電力制御装置は、前記検出器が前記事象を検出したとき、照明を全出力に切り替えるよう更に適応される、
ことを特徴とする請求項１１に記載の照明器具。
【請求項１３】
前記事象検出器は、前記照明器具の照明領域内の存在を検出するよう適応される、
ことを特徴とする請求項１１に記載の照明器具。
【請求項１４】
前記照明器具は、前記照明領域の境界において領域内の存在を検出するよう適応された第２の事象検出器から検出信号を受信できる、
ことを特徴とする請求項１３に記載の照明器具。
【請求項１５】
前記照明器具は、少なくとも前記事象検出器を有する、
ことを特徴とする請求項１３又は１４に記載の照明器具。
【請求項１６】
定められた信号が別の定められた照明器具から又は該定められた照明器具に関連付けられた事象検出器から受信されると、
（ａ）前記記憶装置内で、前記定められた照明器具に対応する照明シナリオを読み出し；
（ｂ）段階（ａ）で読み出された該照明シナリオを適用する；
ように照明シナリオを管理する制御部、
を更に有する請求項５に記載の照明器具。
【請求項１７】
照明器具ネットワークであって、
請求項５に記載の複数の照明器具を有し、
各照明器具は、前記照明シナリオを適用する手段を有する、
ことを特徴とする照明器具ネットワーク。
【請求項１８】
事象検出器及び通信機を有するノード、
を更に有し、
前記ノードは、前記通信機を介して、少なくとも１つの照明器具ネットワークに、前記検出器の検出容量で生じた事象を伝達するよう適応される、
ことを特徴とする請求項１７に記載の照明器具ネットワーク。
【発明の詳細な説明】
【技術分野】
【０００１】
本発明は、照明器具のネットワークの設定に関する。
【０００２】
より詳細には、本発明は、住宅地に設定されるべき照明器具のネットワークのような屋外照明器具のネットワークに関する。
【背景技術】
【０００３】
省エネルギの探求では、公共の照明及びより一般的には地域照明における動向は、知的照明システム、つまり地域に誰もいないときに光を次第に弱くするシステムを用いること、及び歩行者が近付いているときに全出力に自動的に切り替えることである。当業者は、特に市政機関にとって、知的照明システムが必要なときにのみ地域を照らすことによりコスト及びエネルギを節約することを理解する。
【０００４】
伝統的な知的照明システムは、照明器具ネットワーク、街路内で何か（車、歩行者、自転車に乗る人等）を検出する存在検出器のシステム、及び該検出器により検出された事象に従い照明器具の電力供給を制御／調整する中央電子ユニット、を有する。
【０００５】
中央電子ユニットと照明器具との間の通信は、各照明器具がネットワークのノードである無線通信ネットワークを用いてもよい。従って、照明配列及び通信ネットワークの空間的構造は、等価である。
【０００６】
知的照明システムの設置後、各照明器具を作動させる必要がある。伝統的には、該作動は、各照明器具がネットワーク内で及び制御ユニットのために識別される手動の段階であり、アドレス方式のアドレスが該照明器具に割り当てられる。
【０００７】
従って、作動の後に、無線ネットワークと照明配列との間に完全な同形が存在し、各照明器具は自身の無線ノードを知っており、また相互に知っている。
【０００８】
しかしながら、有意な不利点は、作動過程が設置者にとって時間がかかることである。例えば、委託電気技師は、照明器具又は一群の照明器具を選択的に作動させ、それらに特定のアドレスを割り当てなければならない。
【０００９】
手動の作動過程の不利点を克服するため、受信信号強度表示（Ｒｅｃｅｉｖｅｄ  Ｓｉｇｎａｌ  Ｓｔｒｅｎｇｔｈ  Ｉｎｄｉｃａｔｉｏｎ：ＲＳＳＩ）又は到達時間（Ｔｉｍｅ−ｏｆ−Ｆｌｉｇｈｔ）技術を用い、無線ネットワークの空間的トポグラフィを発見し、照明器具の空間的トポグラフィを知って、無線ネットワークを照明器具ネットワークにマッピングすることが提案されている。
【００１０】
例えば、特許文献１は、接続に関与する通信機の信号強度から計算された局間の幅を用いることにより無線ネットワーク構成を決定する方法、及びネットワーク内のノードを制御する中央制御ユニットを開示している。この方法は、自動作動過程に用いられうる。
【００１１】
しかしながら、これらの種類の幅測定は誤りやすい。従って通信ノードの得られた位置は、屡々、照明器具が配置されているグリッド又は格子構成上の位置に正確に一致しない。従って、各ノードがどの照明器具に関連付けられているかについて不確実性が存在する。
【００１２】
従って、この誤りを補正するために複雑な計算アルゴリズムが用いられる。
【００１３】
従って、無線ネットワークの空間的トポグラフィの発見方法、及びそれを照明器具ネットワークにマッピングするための誤り補正は、特定の集中的な計算処理を必要とし、間違いを起こしやすい。
【先行技術文献】
【特許文献】
【００１４】
【特許文献１】国際公開第０１／９７４６６号パンフレット
【発明の概要】
【発明が解決しようとする課題】
【００１５】
使い易く、集中的計算を必要とせず、且つ誤りを起こしやすくない知的照明システムの自動初期化処理を達成することは有利であろう。
【課題を解決するための手段】
【００１６】
１又は複数の関連を良好にアドレス付けするために、本発明の第１の態様は、照明器具を設定する方法であって、前記照明器具は照明器具ネットワークの一部であり、該照明器具ネットワークの各照明器具は無線通信ネットワークのノードであり、当該方法は、前記照明器具に対して：
−近隣の照明器具から信号を受信する段階；
−前記近隣の照明器具と前記照明器具との間の距離の指標をそれぞれ与える指標を、該受信した信号から生成する段階；
−少なくとも一部の近隣の照明器具の個々の指標に従い、該少なくとも一部の近隣の照明器具をランク付けする段階；
−前記ランク付けされた近隣の照明器具の個々のランクに従い、該ランク付けされた近隣の照明器具に照明シナリオを提供する段階；
を有する方法である。
【００１７】
方法は、有利なことに分散型である。各照明器具は、自律して自身の環境を決定する。
【００１８】
特定の実施形態では：
−前記照明シナリオは、事象の検出に応答して開始されるようにされる。
−前記信号を受信する段階中に受信された各信号は、対応する近隣の照明器具の識別子を有し、前記指標を生成する段階は、前記信号の受信されたエネルギから処理される。
【００１９】
本発明の別の態様は、照明器具ネットワークの照明を管理する方法であって、
前記照明器具ネットワークは、請求項２に記載の方法に従い設定される照明器具を有し、
当該方法は：
−事象を検出する段階、
−対応する検出信号を生成する段階、及び
−該検出信号に応答して照明シナリオを開始する段階、
を有する方法である。
【００２０】
本発明の別の態様は、照明器具ネットワークの照明器具であって：
−近隣の照明器具へ／からの信号を送信及び受信する通信機；
−該通信機に結合され、前記近隣の照明器具から受信した信号から、前記近隣の照明器具と前記照明器具との間の距離の指標を生成する処理手段；
−該生成された指標の値に従い、他の近隣の照明器具のリストの中で前記近隣の照明器具をランク付けする手段；
−近隣の照明器具に与えられたランクに依存する照明シナリオを格納する記憶装置；
を有する照明器具である。
【００２１】
特定の実施形態では：
−照明シナリオは、前記照明器具及び前記近隣の照明器具の照明電力を定める電力シナリオを有し、前記照明器具は、前記電力シナリオに従い、該照明器具自身の照明電力を適応する電力制御装置、を更に有する。
−前記通信機は、複数の近隣の照明器具へ／から信号を送信及び受信するように適応され、各信号は、前記信号を発行する照明器具の識別子を有する。
−前記信号は、照明器具ネットワークの識別子を更に有する。
−前記照明シナリオは、各照明器具に対して１つの照明レベルを定める。
−前記各近隣の照明器具に関連付けられた電力レベルは、前記電力シナリオで提供され、高いランクの近隣の照明器具ほど照明器具の照明電力が低いようにされる。
−前記照明器具は、事象を検出した事象検出器により発行され受信された検出信号に応答して：
（ａ）近隣の照明器具に事象が生じていることを知らせる、各近隣の照明器具への信号を生成し；
（ｂ）前記近隣の照明器具へ該信号を送信する前記通信機へ各信号を送信する、手段、
を更に有する。
−前記電力制御装置は、前記検出器が事象を検出したとき、照明を全出力に切り替えるよう更に適応される。
−前記事象検出器は、前記照明器具の照明領域内の存在を検出するよう適応される。
−前記照明器具は、前記照明領域の境界において領域内の存在を検出するよう適応された第２の事象検出器から検出信号を受信できる。
−前記照明器具は、少なくとも前記事象検出器を有する。
−前記照明器具は、定められた信号が別の定められた照明器具から又は該定められた照明器具に関連付けられた事象検出器から受信されると、（ａ）前記記憶装置内で、前記定められた照明器具に対応する照明シナリオを読み出し；（ｂ）段階（ａ）で読み出された該照明シナリオを適用する；ように照明シナリオを管理する制御部、を更に有する。
【００２２】
本発明の別の態様は、照明器具ネットワークであって、上述の照明器具を有し、各照明器具は、前記照明シナリオを適用する手段を有する、ことを特徴とする照明器具ネットワークである。
【００２３】
特定の実施形態では、照明器具ネットワークは、事象検出器及び通信機を有するノード、を更に有し、前記ノードは、前記通信機を介して、少なくとも１つの照明器具ネットワークに、特定の検出容量で生じた事象を伝達するよう適応される。
【００２４】
照明器具ネットワークは、自身の電力消費を環境の必要性に適応する。従って、エネルギ及びコストの節約があり、これらの照明器具はＣＯ２削減に対するエコ照明市場の要件を満たす。
【００２５】
この照明器具は、ユーザの快適性を向上させ、光害を減少させる。
【００２６】
これらの照明器具は設置が非常に容易である。システムは、完全に自律しており、設置の変更が非常に容易である。
【００２７】
メッセージの自動アドレス指定は、無線周波数通信の特定の典型的な問題を回避する。
【００２８】
照明器具の設定はエラー耐性がある。実際に、近隣の照明器具の距離のランク付けは、特定の誤りを有しうる。例えば近隣の照明器具が現実に反して２番目の近隣の照明器具よりも近いとして検出されてしまう。しかしながら、照明シナリオは、誤りにも拘わらず照明器具により実現されるサービスが満たされるように定められてもよい。
【００２９】
照明器具は、如何なる構成の照明器具ネットワークにも適用可能である。
【００３０】
本発明の上述の及び他の態様は、本願明細書に記載される実施形態及びその説明から明らかである。
【図面の簡単な説明】
【００３１】
【図１】照明器具ネットワークの概略図である。
【図２】一実施形態による照明器具の概略である。
【図３】本発明の一実施形態による初期化処理のフローチャートである。
【図４Ａ】照明シナリオ・テーブルである。
【図４Ｂ】照明シナリオ・テーブルである。
【図５】照明器具の動作方法のフローチャートである。
【図６】図１の照明器具の照明シナリオ・テーブルを編集したものである。
【発明を実施するための形態】
【００３２】
図１を参照すると、照明器具ネットワーク１は、６個の照明器具３を有する。各照明器具は、識別子Ｌ１、Ｌ２、Ｌ３、Ｌ４、Ｌ５及びＬ６によりそれぞれ識別される。各照明器具は、特定の領域を照らすために設けられている。場合によっては、近隣の照明器具の領域は、例えば、全部の照明器具が同一の電力レベルを有するとき、全部の照明器具に渡って均質な光を与えるために重なり合ってもよい。
【００３３】
図２を参照すると、これらの照明器具のそれぞれ１つは、電力制御装置１２により制御される光源１０を有する。電力制御装置１２は、照明器具の照明電力を、例えば０％、つまり如何なる光も放射されないから、１００％、つまり光源１０の全出力まで、連続的に、所定の段階、例えば照明電力の５０％、７０％、８０％及び９０％を通じてのどちらでも制御できる。
【００３４】
照明器具は、知的照明ネットワークの一部であり、従って照明器具ネットワークの他の照明器具から／への無線信号（又は例えば赤外線若しくは超音波信号のような他の種類の信号）を送受信できる無線通信機１４を有する。
【００３５】
照明器具は、通信機１４に結合された処理手段１６を更に有する。処理手段１６は、近隣の照明器具と当該照明器具との間の距離の指標を生成する。指標は、近隣の照明器具から受信された信号の利得及び／又は振幅から当業者に良く知られているＲＳＳＩ（受信信号強度表示）を用いて計算された、照明器具とネットワークの如何なる該近隣の照明器具との間の相対距離であってもよい。或いは、処理手段１６は、到達時間方法を用いて距離を決定してもよい。
【００３６】
照明器具は、生成された指標の値に基づき近隣の照明器具をランク付けする手段１７を更に有してもよい。例えば、近隣の照明器具は、受信信号から決定されたそれらの相対距離に基づき最近から最遠までランク付けされてもよい。
【００３７】
照明器具は、近隣の照明器具と照明電力レベルとの間の関係を定める照明シナリオを有する記憶装置１８を有する。しかしながら、照明効果（色、拡散性、照明パターン又は形状等）を与える他の種類の照明シナリオが個々に又は組み合わされて実施されてもよい。
【００３８】
例えば、照明シナリオは２列ｎ行の表であり、ｎは近隣の照明器具の数である。第１の列は照明器具の識別子を有し、第２の列は例えば全照明電力の割合で定められた対応する照明効果を有する。
【００３９】
照明器具は、事象検出器２０も有してもよい。例えば、事象検出器２０は、赤外線又はマイクロ波又は可視カメラのような、動きを検出するセンサである。例えば、事象検出器２０は、ＣＭＯＳ又はＣＣＤカメラである。事象検出器２０は、照明器具の近くの物体／事象を検出するために設置される。例えば、事象検出器２０は、照明器具の照明領域内に立っている又は歩いている人を検出できる。或いは、事象検出器２０は、照明器具内ではなく別の場所に置かれ、特に事象を検出したときに照明器具と及び場合によっては他の照明器具と通信する。
【００４０】
図３を参照すると、照明器具は次のように初期化される。
【００４１】
予備段階中、例えば製造中、各照明器具は固有の識別子及びネットワーク識別子を受け取る。ネットワーク識別子は、ネットワークの構成要素である照明器具から来る信号を他の信号から区別するために用いられる。従って、照明器具により送信される各メッセージは、少なくともネットワーク識別子及び該照明器具の識別子を有する。特定の場合には、ある領域内に１つの照明器具ネットワークしかなく、干渉がないとき、ネットワーク識別子は無用であるとして削除されてもよい。
【００４２】
Ｓ３０で、照明器具は近隣の照明器具から来る信号を傾聴する。
【００４３】
Ｓ３２で照明器具が１つの近隣の照明器具から来る信号を受信すると、Ｓ３４で照明器具距離計算機は照明器具から該近隣の照明器具までの距離を決定する。
【００４４】
段階Ｓ３２及びＳ３４は、近隣の照明器具までの全ての相対距離が決定されるまで繰り返される。
【００４５】
次に、Ｓ３５で、少なくとも一部の照明器具は、それらの個々の指標に従ってランク付けされる。そして、Ｓ３６で、照明電力は、各近隣の照明器具に関連付けられ、該関連が格納される。例えば、照明器具は、照明器具の製造中に準備され格納された照明シナリオ・テーブルを有する。テーブルは、上述の形式を有する。製造中、照明電力の割合は各行に格納され、第１の行は最も近い近隣の照明器具を表し、第２の行は２番目に近い近隣の照明器具を表し、最後の行は最も遠い近隣の照明器具を表す。或いは、照明器具は、決定されたパラメータ、例えば計算された指標値、製造中に照明器具に格納された幾つかの他のパラメータに従って照明シナリオを生成する手段を有する。
【００４６】
図４Ａは、この段階での図１の照明器具Ｌ３の照明シナリオ・テーブルを示す。
【００４７】
全ての近隣の照明器具の距離を決定した後、該距離は最近から最遠まで、例えば処理手段１６により格納される。次に、照明シナリオ・テーブルは、第１の行の対応するフィールド内の最も近い照明器具の識別子を入力し、最後の行の対応するフィールドが最も遠い照明器具の識別子を有するまで、全てに入力することにより完成される。図４Ｂは、照明器具の識別子により完成された、図４Ａと同一の照明シナリオ・テーブルを示す。
【００４８】
テーブルは、本初期化方法中に自動的に完成される。従って、照明器具を設置する人は、照明器具を設定するために何も行わず、特に各近隣の照明器具の識別子を知る必要がない。
【００４９】
初期化後、図５に示されるように、照明器具は次のように動作する。
【００５０】
Ｓ４０で、照明器具は、経済的モードで起動し、近隣の照明器具を傾聴する。
【００５１】
Ｓ４２で、照明器具は、近隣の照明器具、又は近隣の照明器具に関連付けられた事象検出器から、該近隣の照明器具の近くで事象が検出されていることを知らせる信号を受信する。
【００５２】
Ｓ４４で、照明器具は、自身の照明シナリオを読み出し、この近隣の照明器具に関連付けられた照明電力を決定する。
【００５３】
Ｓ４６で、照明器具は、自身の光源を決定された照明電力に切り替え、所定の猶予のためにタイマを起動する。
【００５４】
Ｓ４８で、別の事象の信号を受信することなく所定の猶予が経過した場合、光源は経済的モードに切り替えられる。その他の場合、新たな事象の信号の受信はタイマをリセットし、照明器具はＳ４４の段階に戻り照明電力を決定する。
【００５５】
この処理は、照明器具の検出器による事象の検出により何時でも中断されてよい。事象を検出すると、照明器具は、自身の光源を全出力に切り替え、近隣の照明器具へ事象信号を送信する。事象が検出される一方で、照明器具は、定期的に事象信号を送信し、近隣の照明器具に該近隣の照明器具がそれらの現在の照明電力に留まらなければならないことを知らせる。如何なる事象も検出されないとき、場合によっては例えば事象が検出される度にリセットされる内蔵クロックのリセットにより定められた所定の猶予の後に、照明器具は経済的モードに戻る。
【００５６】
図６は、この処理を説明するために、図１の照明器具の全ての照明シナリオ・テーブルのまとめである。
【００５７】
１つの照明器具がユーザを見ているというメッセージをブロードキャストするとき、該照明器具は自身を全出力に切り替える。照明シナリオ・テーブルに基づき、上位２つの最も近い照明器具である近隣の照明器具は、９０％に切り替える。照明器具のテーブルの位置３と５の間にある照明器具は、６０％から８０％に切り替える。そして、デフォルト設定で、６より大きい位置にある照明器具は、経済的モードに留まる。
【００５８】
図６では、表の各端にある照明器具Ｌ１及びＬ６のテーブルは他のテーブルと異なり、該照明器具に最も近い近隣の照明器具についてのみ９０％に切り替える。これは、行の端の特定の位置を考慮する。従って、設置時、照明シナリオ・テーブルは、照明器具識別子を知ることなく、しかし照明器具の相対位置を考慮することによってのみ、照明器具ネットワークの形状に適応されてもよい。
【００５９】
図６の実施形態では、照明シナリオは、照明器具の位置によって異なり、開示された方法及び照明器具の柔軟性を示す。しかしながら、屡々、製造中に全ての照明器具に同一の照明シナリオが設定されても差し支えない。実際に、照明器具Ｌ１及びＬ６が照明器具Ｌ２乃至Ｌ５と同一のテーブルを用いた場合、ユーザにとって如何なる相違もなく、２にランク付けされた近隣の照明器具は８０％の代わりに９０％の照明電力を意味する。
【００６０】
照明シナリオの別の実施形態は、近隣の照明器具の数とは独立に、相対距離により照明電力を定めることである。例えば、照明シナリオは以下の通りであってもよい。
−各近隣の照明器具は、５０メートルより近く、照明電力は１００％である。
−各近隣の照明器具は、５０乃至３００メートルの間で、照明電力は７０％である。
−各近隣の照明器具は、３００メートルより離れており、それらを考慮に入れず、経済的モードに留まる。
【００６１】
当業者は、この照明シナリオで、相対距離についての誤りが、照明器具ネットワークにより照らされた街路を歩いているユーザにとって殆ど如何なる重要性も有さないことを理解する。
【００６２】
一実施形態では、照明器具は、通信が行われる度に距離を分析及び決定する。従って、照明シナリオ・テーブルは、何時でも調整されてもよい。本実施形態は、有利なことに、単に新たな照明器具を設置し、正しいネットワーク識別子を定め、及び該照明器具の用意された照明シナリオを格納することにより、照明器具の置換又は追加を許可する。他の照明器具は、新たな照明器具からメッセージを受信すると直ぐに、自身のテーブルに新たな照明器具を追加するだろう。
【００６３】
他の照明器具の事象検出器の範囲外で生じる事象を検出し、領域の照明を予想することは有用でありうる。
【００６４】
一実施形態では、照明器具のネットワークは、信号を照明器具及び／又は少なくとも１つの事象検出器へ送信する通信機のみを有する幾つかの特定のノードも有する。従って、近隣の照明器具は、他の照明器具に関するこれらのノードの存在及び距離を記録する。これらのノードのうちの１つが事象検出器を有する場合、該事象検出器は、定められた照明器具の照明領域の何れかで生じる事象を検出できるように、従って該照明器具に関連付けられるか、又は別の領域に配置される。事象検出器は、事象を検出し、事象信号を送信する。近隣の照明器具は、事象検出器に関連付けられた定められた照明器具依存して、又は照明シナリオ・テーブル内の検出器の事象に割り当てられた特定の場所に依存して、それらの照明シナリオに従い反応できる。
【００６５】
照明器具ネットワークは、照明シナリオを格納していないがスイッチ若しくは一連のスイッチのみを有するか又は如何なるスイッチも有さない（従って同一の電力レベルを保持する）特定の照明器具も有してもよい。
【００６６】
本発明は図面及び上述の説明で詳細に説明されたが、このような図面及び説明は説明及び例であり、本発明を限定するものではない。本発明は開示された実施例に限定されない。
【００６７】
例えば、遠隔制御は、初期化処理を開始するために照明器具ノードと同じモデルに容易に開発されうる。
【００６８】
当業者は、この開示された実施形態が中央制御装置と共に知的照明システムに組み込まれ、例えば自然光が十分にあるときに発行される消灯信号、保守人員に知らせるための照明器具から受信された修理要求信号等のような汎用及び／又は保守コマンド信号を生成及び／又は受信することを理解する。照明器具ノードは、中央制御装置からネットワーク全体へメッセージを送信する中継器として動作する。
【００６９】
開示された実施例の他の変形は、図面、詳細な説明、及び請求項を読むことにより、当業者に理解され請求項に記載された発明を実施する際に実施されうる。用語「有する」は他の要素を排除しない。単数を表す語は複数を排除しない。
【図１】
0005670895.tif 000002
【図２】
0005670895.tif 000003
【図３】
0005670895.tif 000004
【図４Ａ】
0005670895.tif 000005
【図４Ｂ】
0005670895.tif 000006
【図５】
0005670895.tif 000007
【図６】
0005670895.tif 000008